(57)【要約】【課題】移動棚を隔離された作業スペースの隔壁の一部として用いることにより、建物内のスペースを有効利用できる移動棚付き構造体を提供する。【解決手段】目的スペース１１と、その目的スペースから隔離された作業スペース１１と、目的スペース１１と作業スペース１１との間を開閉自在に連通するドア１３とからなる移動棚付き構造体１０。作業スペース１１には、その作業スペース１１内の空間と実質的に同じ大きさの移動棚１４が出し入れ可能に収容されている。この移動棚１４は作業スペース外に取り出し可能であり、この移動棚１４を出し入れすることにより作業スペースが拡縮する。この取り出した移動棚１４への作業は、作業スペース内から行う。【選択図】図１
2010279279.tif 000002
【特許請求の範囲】
【請求項１】
目的スペースと、
その目的スペースから隔離された作業スペースと、
前記作業スペースの壁の一部であり、かつ、作業スペースから出し入れ可能な移動棚とからなり、
前記移動棚が作業スペース内にあるとき、作業スペース内の空間は移動棚によって塞がれており、
前記移動棚が作業スペース外にあるとき、作業スペース内で移動棚に対する作業を行う空間が形成される、移動棚付き構造体。
【請求項２】
前記移動棚が目的スペース側に移動する、請求項１記載の移動棚付き構造体。
【請求項３】
前記移動棚が構造体外に移動する、請求項１記載の移動棚付き構造体。
【請求項４】
前記目的スペースと作業スペースとが気密に隔離されている、請求項１記載の移動棚付き構造体。
【請求項５】
前記目的スペースと作業スペースとの間にエアシャワー室が設けられている、請求項１記載の移動棚付き構造体。
【請求項６】
前記作業スペース内と連結した加圧装置を備えている、請求項１記載の移動棚付き構造体。
【請求項７】
前記移動棚が植物栽培棚である、請求項１記載の移動棚付き構造体。
【発明の詳細な説明】
【技術分野】
【０００１】
本発明は、２つの異なる目的を行うスペースを備えた移動棚付き構造体に関する。詳しくは、移動棚を壁の一部に用いた作業スペースが拡縮する移動棚付き構造体に関する。
【背景技術】
【０００２】
通常、移動棚は、その空間を有効に利用するために用いられる。例えば、引用文献１、２のように、複数の移動棚を建物内（空間）に配置し、収納物を効率よく収納するために用いられる。
【先行技術文献】
【特許文献】
【０００３】
【特許文献１】特開平５−２４６１４号公報
【特許文献２】特開２００８−２７４６２９号公報
【発明の概要】
【発明が解決しようとする課題】
【０００４】
本発明は、移動棚を隔離された作業スペースの隔壁の一部として用いることにより、建物内のスペースを有効利用できる移動棚付き構造体を提供することを目的としている。
【課題を解決するための手段】
【０００５】
本発明の移動棚付き構造体は、目的スペースと、その目的スペースから隔離された作業スペースと、前記作業スペースの壁の一部であり、かつ、作業スペースから出し入れ可能な移動棚とからなり、前記移動棚が作業スペース内にあるとき、作業スペース内の空間は移動棚によって塞がれており、前記移動棚が作業スペース外にあるとき、作業スペース内で移動棚に対する作業を行う空間が形成されることを特徴としている。ここで作業スペース内が塞がれるとは、移動棚に対する作業ができない程度に塞がれていることをいい、簡易な作業（例えば、スイッチのオン・オフ等）までできなくなることまでを意味するものではない。
【０００６】
本発明の移動棚付き構造体であって、前記移動棚が目的スペース側に移動するものであっても、構造体外に移動するものであってもよい。
【０００７】
また、前記目的スペースと作業スペースとが気密に隔離されているものが好ましい。この場合、目的スペースと作業スペースとの間にエアシャワー室が設けられたものが好ましい。さらに、作業スペース内に加圧装置を設けるのが好ましい。そして、移動棚を植物栽培棚として用いるのが好ましい。
【発明の効果】
【０００８】
本発明の移動棚付き構造体は、作業スペースの壁の一部であり、かつ、作業スペースから出し入れ可能な移動棚を備えており、その移動棚が作業スペース内にあるとき、作業スペース内の空間は移動棚によって塞がれており、その移動棚が作業スペース外にあるとき、作業スペース内で移動棚に対する作業を行う空間が形成されるため、作業スペースは移動棚自体の収納空間と、その移動棚の作業を行う空間とを兼ねる。つまり、移動棚に対する作業を行う場合は、移動棚を作業空間から出して、作業空間内から作業を行い、移動棚に対する作業を行わない場合は、移動棚を作業空間内に収容し、作業スペースの空間を有効利用することができる。
【０００９】
前記移動棚が目的スペース側に移動する場合、作業スペースの利用時間と、目的スペースの利用時間とを異ならせることにより、相互の動作に影響を及ぼさずに作業または行動を行うことができ、移動棚の収容空間を最小にすることができる。
前記移動棚が構造体側に移動する場合、目的スペースに影響を及ぼすことなく、作業スペースの拡縮が行える。
【００１０】
前記目的スペースと作業スペースとが気密に隔離されており、その気密状態を維持しながら移動棚が出し入れされる場合、例えば、作業スペースをクリーンルームとして使用しながら、目的スペースを顧客等へのサービス提供空間とすることができる。
このように目的スペースと作業スペースとが気密に隔離されており、前記目的スペースと作業スペースとの間にエアシャワー室が設けられた場合、目的スペースと作業スペースとの間の行き来が簡単である。
【００１１】
前記作業スペース内と連結した加圧装置を備えている場合、その加圧装置により作業スペース内を加圧することにより、移動棚の押し出す力を小さくすることができる。また、作業スペースと目的スペースとの間を気密にしている場合、ドア等からの作業者が出入りしても、目的スペースからの空気、あるいは、塵等が入りにくくなる。
前記移動棚が植物栽培棚である場合、新鮮な野菜、果実、根菜、あるいは、花等を目的スペースに供給することができる。
【図面の簡単な説明】
【００１２】
【図１】図１ａは本発明の移動棚付き構造体の移動棚を作業スペース内に収容したときの平面概要図であり、図１ｂ、図１ｃはその移動棚を作業スペース外に出したときの平面概要図である。
【図２】図１ａの移動棚および作業スペースの関係を示す斜視図である。
【図３】図３ａは植物栽培棚の側面概要図であり、図３ｂ、図３ｃは移動棚および作業スペースの側面図である。
【発明を実施するための形態】
【００１３】
図１の移動棚付き構造体１０は、目的スペース１１と、その目的スペースから隔離された作業スペース１１と、目的スペース１１と作業スペース１１との間を開閉自在に連通するドア１３とからなる。作業スペース１１には、その作業スペース１１内の空間と実質的に同じ大きさの移動棚１４が出し入れ可能に収容されている。この移動棚１４は作業スペース外に取り出し可能であり、取り出した移動棚１４への作業は、作業スペース内から行う。
【００１４】
目的スペース１１は、屋内あるいは屋外であってもよく、レストラン、スーパー等、第三者に対してサービス等を施すスペースであってもよく、あるいは、研究、実験等を行うスペースであってもよい。好ましくは、移動棚１４に収納しているものを利用した目的スペースとする。たとえば、移動棚１４を後述するように植物栽培棚とする場合、そこで栽培した植物を調理、その調理品の提供、販売するスペースであってもよく、あるいは、細胞培養棚とする場合、そこで培養した細胞組織等で実験、研究するスペースであってもよい。
【００１５】
作業スペース１２は、移動棚１４を作業スペースから出した状態で移動棚１４に対する作業を行うスペースである。この作業スペース１２に移動棚１４があるとき、主目的である移動棚１４への作業が行えない程度に作業スペース内の空間は移動棚によって塞がれている。しかし、簡単な作業（例えば、作業スペース内に作業者が入り、種々の確認作業、あるいは、装置等のスイッチのオン・オフなど）ができる程度に空いていてもよい。このように、作業スペース１２は、移動棚１４の収納スペースと、その移動棚１４を作業するスペースを兼ねた空間である。
【００１６】
この作業スペース１２に、加圧装置１６を設けても良い。この加圧装置により作業スペース内を目的スペースより加圧することにより、作業スペース内に目的スペースから空気、塵、細菌等の侵入を防止することができる。また、移動棚の作業スペース外への移動棚を押し出し力とすることができる。特に、作業スペースと目的スペースとの間を気密にしている場合、ドア等からの作業者が出入りしても、目的スペースからの空気、あるいは、塵等が入りにくくなる。その場合、作業スペース内に清浄空気が導入されるように、加圧装置１６にはフィルターを設ける。
【００１７】
ドア１３は、目的スペース１１と、作業スパース１２とを開閉自在に連通するものである。つまり、この移動棚付き構造体１０は、目的スペース１１からはドア１３を通って作業スペース１２内に入らないと移動棚１４へたどり着けない。
【００１８】
移動棚１４は、図２に示すように、作業スペース１２と分離しないように、作業スペースの壁の一部となっており、かつ、作業スペース内から出し入れが可能に構成されている。つまり、移動棚１４の出し入れにより作業スペース内の移動棚１４に対する作業空間が拡縮するように構成されている。そして、この移動棚１４は、図１ｂに示すように、目的スペース１１側に移動するようにしてもよく、図１ｃに示すように、移動棚付き構造体外に移動するようにしてもよい。目的スペース１１側に移動するように構成している場合、移動棚１４は目的スペース１１と作業スペース１２とを隔離する隔壁の役割を奏している。一方、構造体外に移動するように構成している場合、移動棚１４は移動棚付き構造体と外部とを隔離する隔壁の役割を奏している。このように移動棚１４を作業スペース１２内に収納することにより、移動棚付き構造体をコンパクトにすることができる。特に、図１ｂのように目的スペース１１側に移動するようにした場合、構造体１０内のスペースを有効に利用することができる。
このような移動棚１４として、例えば、書物等の収納棚、植物栽培棚、細胞培養棚等が挙げられる。
【００１９】
このように本発明の移動棚付き構造体は、作業スペースと、目的スペースとが隔離されているため、異なる作業を一つの施設内で行うことができる。また、移動棚の出し入れを行うことにより、作業スペースの拡縮が可能である。その作業に応じて任意に作業スペースを調整することができる。そのため、作業スペースを有効に利用することができる。特に、図１ｂのように、移動棚を目的スペース側に出し入れさせ、かつ、作業スペースの利用時間と、目的スペースの利用時間とが異なる場合、目的スペースの利用時間は移動棚を作業スペース内に収容させておくことにより、目的スペースを最大にして利用することができ、反対に、作業スペースの利用時間は、移動棚を目的スペース側に押し出すことにより、作業スペースを最大にして利用することができる。
【００２０】
この移動棚付き構造体は、目的スペースでの行動（サービス等）と、作業スペースでの作業とが独立して行われなければ成らない場合に有効な構造体である。例えば、目的スペースにおいて顧客にサービス等を提供し、作業スペース内は顧客と絶縁し、関係者以外出入りできない場合などが挙げられる。さらには、目的スペースと作業スペースとが気密に隔離される必要がある場合には一層有効な構造体である。例えば、作業スペースをクリーンルームにする場合などが挙げられる。その場合、図１に示すようにドア１３に隣接してエアシャワー室を設けてもよい。これにより、作業スペース１２と目的スペース１１との間を一層隔離することができる。
【００２１】
次に移動棚１４を植物栽培棚として用いた場合の説明をする。
植物栽培棚２０は、特にその段数は限定されないが５段の棚２１からなる。棚２１は、ベルトコンベアからなる棚板２２と、棚板２２から空間をあけて上方に設けられる光源２３と、棚板２２の上に載置される栽培槽２４とからなる。棚板２２はベルトコンベアーによって一端から他端に矢印方向に向かって、植物が成長と共に移動するように構成されている。植物栽培棚の構成は特に限定されるものではなく、従来公知のものが使用される。
この植物栽培棚２０は、図２の表裏方向に移動可能となっている。この植物栽培棚２０を、作業スペース１２から外側に出すことにより、作業スペース内に植物栽培棚２０の作業を行うために作業者が侵入できる程度に空間が形成される。作業者は、作業スペース１２側から植物栽培棚の一端で栽培槽に種や苗を植えたり、他端で成長した植物の収穫の作業を行う。この作業スペースで作業を行い、目的スペースにその収穫した植物を運ぶことにより、目的スペース１１に新鮮な植物を提供することができる。
【００２２】
特に、図１ｂの形態であって、移動棚１４を植物栽培棚とし、目的スペースをレストランとする場合、レストランの開店前に移動棚１４を作業スペース１２から出してその日に用いる量だけ植物栽培棚から収穫（作業）し、レストランの開店中では移動棚１４を作業スペース１２内に戻してその収穫した植物で調理および販売を行う。つまり、作業スペースの作業（開店前）を目的スペースでのサービスを異なる時間（開店中）に行うことにより、目的スペース（調理、サービスの提供スペース）を大きくすることができる。さらに、移動棚１４の目的スペース１１側の壁を透明なガラス、あるいは、プラスチックとすることにより、顧客は、その調理された植物が移動棚付き構造体内で成育されたものであることを認識することができる。
【００２３】
次に移動棚１４の移動手段について説明する。
移動棚の第１の移動手段としては、下端に車輪を設けた移動棚１４が挙げられる。この場合、移動方向の床面にレール等が設けられるのが好ましい。また、この車輪付き移動棚を動かす動力として、作業者が自ら押すあるいは引く、モータ等の駆動装置、さらには、作業スペース内を加圧状態にする等の方法が挙げられる。また、これらの動力を組み合わせて動かしてもよい。
第２の移動手段としては、伸縮自在のロボットアームで移動させる、あるいは、レールで支持しながら摺動させて移動させる移動棚が挙げられる。この場合も、作業スペース内を加圧状態にして移動棚の移動を助けるようにしてもよい。
【００２４】
作業スペース１２と目的スペース１１とを気密に隔離した移動棚付き構造体であって、作業スペース１２を目的スペース１１に対して気密にした状態で移動棚１４を移動させる手段について、説明する。
第１の密閉手段としては、図３ｂのように、移動棚１４と作業スペース１２の壁の当接部にゴムロール等のシール材２７を設ける方法が挙げられる。さらに、当接部に毛、あるいは、ヘア状の塵払い部を設けても良い。
第２の手段としては、図３ｃのように、作業スペースと、移動棚１４との間の隙間を覆う伸縮自在のカバー２８を設ける方法が挙げられる。伸縮自在のカバー２７としては、蛇腹状のカバーが邪魔になりにくく好ましい。
【符号の説明】
【００２５】
１０  移動棚付き構造体
１１  目的スペース
１２  作業スペース  
１３  ドア
１４  移動棚
１５  エアシャワー室
１６  加圧装置
２０  植物栽培棚
２１  棚
２２  棚板
２３  光源
２４  栽培槽
２６  車輪
２７  シール材
２８  カバー
【図１】
2010279279.tif 000003
【図２】
2010279279.tif 000004
【図３】
2010279279.tif 000005